(57)【要約】【課題】  一方のトレー本体の背面に該本体を立設保持するスタンドを設けることにより、ペット挙動時にも一方のトレー本体の立設状態が確保でき、ペットが動き回っても使用状態下のトイレ全体の安定性を確保することができるペット用トイレの提供を目的とする。【解決手段】  一対のトレー本体１０，１０がヒンジ部１９を介して展開および折畳み可能に構成されたペット用トイレであって、一方のトレー本体１０の背面には該一方のトレー本体１０を立設状態に保持するスタンド５０が設けられたことを特徴とする。【選択図】  図１０
2005211031.tif 000002
【特許請求の範囲】
【請求項１】
一対のトレー本体がヒンジ部を介して展開および折畳み可能に構成されたペット用トイレであって、
一方のトレー本体の背面には該一方のトレー本体を立設状態に保持するスタンドが設けられた
ペット用トイレ。
【請求項２】
上記スタンドは一方のトレー本体背面側の格納空間部に回動可能に設けられた
請求項１記載のペット用トイレ。
【請求項３】
上記スタンドにより一方のトレー本体が所定傾斜角度に立設保持される
請求項１または２記載のペット用トイレ。
【請求項４】
上記一対のトレー本体は展開時、平面から見て点対称に構成された
請求項１記載のペット用トイレ。
【請求項５】
上記ヒンジ部は一対のトレー本体の対設部両側に設けられた
請求項１〜４の何れか１に記載のペット用トイレ。
【請求項６】
上記トレー本体の主面部に対してヒンジ中心が所定量上方位置に設定された
請求項１〜５の何れか１に記載のペット用トイレ。
【発明の詳細な説明】
【技術分野】
【０００１】
この発明は、シーツをトレー本体の主面部に固定して犬や猫その他愛玩動物が使用するようなペット用トイレに関する。
【背景技術】
【０００２】
従来、上述例のペット用トイレとしては次のような構造のものがある。
【０００３】
すなわち、一側のトレー本体と、他側のトレー本体とを設け、これら各トレー本体を該トレー本体の略全幅にわたって延びる中間部材としてのヒンジ板で開閉可能に連結すると共に、各トレー本体の主面側（上面側）にはシーツを固定するために平面視コの字形のシーツ固定用フレームを起伏可能に取付けたものである（特許文献１参照）。
【０００４】
この従来構造のペット用トイレにおいて、上述の一側のトレー本体、ヒンジ板、他側のトレー本体の主面部全面にシーツを敷設した後に、このシーツをシーツ固定用フレームにてトレー本体との間に狭持固定し、一側のトレー本体を水平に配置すると共に、他側のトレー本体を壁などに立てかけると、雄犬等のペットが足を上げて放尿しても、周囲への飛び散りを防止することができる利点がある。
【０００５】
しかしながら、上述の従来のペット用トイレにおいては一方のトレー本体を立てかける壁や柱などのペット用トイレとは別体の構造物が必要で、壁、柱などが存在しない場所にあってはトレー本体の立てかけ支持が不安定となり、仮にトレー本体を一定角度で維持する角度規制手段が設けられていたとしても、ペットが動き回った場合には所定角度にて立設させたトレー本体が倒れる等、その立設状態が極めて不安定となり、また水平配置した側のトレー本体が浮き上がる等、使用状態下におけるペット用トイレ全体の安定性が確保できない問題点があった。
【０００６】
【特許文献１】実用新案登録第３０５０５７５号公報
【発明の開示】
【発明が解決しようとする課題】
【０００７】
この発明は、一方のトレー本体の背面に該本体を立設保持するスタンドを設けることにより、ペット挙動時にも一方のトレー本体の立設状態が確保でき、ペットが動き回っても使用状態下のトイレ全体の安定性を確保することができるペット用トイレの提供を目的とする。
【課題を解決するための手段】
【０００８】
この発明によるペット用トイレは、一対のトレー本体がヒンジ部を介して展開および折畳み可能に構成されたペット用トイレであって、一方のトレー本体の背面には該一方のトレー本体を立設状態に保持するスタンドが設けられたものである。
【０００９】
上述のトレー本体およびスタンドはその軽量化を考慮してポリプロピレン（いわゆるＰＰ）またはＡＢＳ樹脂などの合成樹脂によって構成してもよい。
【００１０】
上記構成によれば、上述のスタンドにより一方のトレー本体を立設状態に保持することができるので、壁や柱等の構造物が存在しない場合においても当該一方のトレー本体の立設保持が可能で、しかもペット挙動時においても一方のトレー本体の立設状態が確保でき、ペットが動き回っても使用状態下のペット用トイレ全体の安定性を確保することができる。
【００１１】
この発明の一実施態様においては、上記スタンドは一方のトレー本体背面側の格納空間部に回動可能に設けられたものである。
【００１２】
上記構成によれば、ペット用トイレの展開使用時、またはペット用トイレを２つ折りと成すトイレ非使用時には上述のスタンドをトレー本体背面側の格納空間部に収納することができる。
【００１３】
この発明の一実施態様においては、上記スタンドにより一方のトレー本体が所定傾斜角度に立設保持されるものである。
【００１４】
上述の一方のトレー本体（立設側のトレー本体）の他方のトレー本体（水平配置側のトレー本体）に対する開角（所定傾斜角度）は１００〜１１０度の範囲に設定してもよい。
【００１５】
上記構成によれば、上述スタンドで一方のトレー本体を所定の角度に立設保持させることができる。
【００１６】
この発明の一実施態様においては、上記一対のトレー本体は展開時、平面から見て点対称に構成されたものである。
【００１７】
上記構成によれば、一方のトレー本体と他方のトレー本体とを同一構造と成すことができ、同一のトレー本体を２つ用いて一対のトレー本体が形成できるので、
特に合成樹脂によりトレー本体を構成する場合には、成形金型が１つでよく、ペット用トイレのコストダウンを図ることができる。
【００１８】
この発明の一実施態様においては、上記ヒンジ部は一対のトレー本体の対設部両側に設けられたものである。
【００１９】
上記構成によれば、ヒンジ部をトレー本体相互が対設される部分の両側に設けたので、トレー本体の主面部を広く使用することができ、トレー本体上の広い使用空間が確保できる。
【００２０】
この発明の一実施態様においては、上記トレー本体の主面部に対してヒンジ中心が所定量上方位置に設定されたものである。
【００２１】
上記構成によれば、ペット用トイレの非使用時に一対のトレー本体を上記ヒンジ中心を支点としてコンパクトに２つ折りにすることができ、折畳み時の全高低減およびコンパクト化を達成することができる。
【発明の効果】
【００２２】
この発明によれば、一方のトレー本体の背面に該一方のトレー本体を立設保持するスタンドを設けたので、ペット挙動時にも一方のトレー本体の立設状態が確保でき、ペットが動き回っても使用状態下のトイレ全体の安定性を確保することができる効果がある。
【発明を実施するための最良の形態】
【００２３】
ペット挙動時にも立設させた側のトレー本体の確実な立設状態が確保でき、ペットが動き回っても使用状態下のトイレ全体の安定性を確保するという目的を、ヒンジ連結される一対のトレー本体のうち一方のトレー本体（立設側のトレー
本体）の背面に当該本体を立設保持するスタンドを設けるという構成にて実現した。
【実施例】
【００２４】
この発明の一実施例を以下図面に基づいて詳述する。
【００２５】
図１はペット用トイレを展開した状態で示す平面図、図２は側面図、図３は図２の左側面図、図４は図１のＡ−Ａ線矢視断面図、図５は図１のＢ−Ｂ線矢視断面図であって、このペット用トイレは一対のトレー本体１０，１０と、これら各トレー本体１０，１０に起伏可能に支持された平面視コ字状のシート固定フレーム２０，２０と、シート固定フレーム２０をトレー本体１０に固定して、図７に示すシート３０を両者１０，２０間に固定保持するロック部材４０と、一方のトレー本体１０を立設状態に保持するスタンド５０とを備えている。
【００２６】
図１〜図５はペット用トイレを展開した状態で示しており、図１に平面図で示すように上述の一対のトレー本体１０はその展開時に平面から見て中心点Ｐを軸とする点対称に形成されている。つまり、同一形状のトレー本体１０を２つ形成し、一方のトレー本体１０を１８０度変向して対設部１１にて対設することで、ペット用トイレの底部を形成すべく構成している。これにより特に、トレー本体１０を合成樹脂にて構成する場合、その成形金型の単一化を図るものである。
【００２７】
図４の部分拡大図を図６に示し、図６の要部拡大図を図７に示すように、上述のトレー本体１０はフラットな主面部１２と、この主面部１２の対設部１１以外の三方に段下げ形成され、三方に連続する水平かつ平面視コ字状の溝部１３（段下げ凹部）と、この溝部１３の外端から上記三方の外方に水平に延びるフランジ部１４と、このフランジ部１４の外端と主面部１２の対設部１１側とから下方に一体的に延びる環状のスカート部１５と、図８に底面図で示すように四方を囲繞するスカート部１５に対して縦横に複数形成されトレー本体１０の強度向上を図るリブ１６…とを備えている。上述のリブ１６…の形成パターンは図８の縦横構造に限定されるものではなく、斜交い状にクロスする格子状のパターンであってもよい。
【００２８】
また、図８に示すようにトレー本体１０の底面所定箇所には縦横のリブ１６，１６と近接して、複数かつ二重円筒状の脚取付け部１７を一体形成し、これらの脚取付け部１７にはそれぞれゴム製滑り止め用の脚部１８を嵌合固定している。ここで、脚取付け部１７の構造は一重円筒状であってもよく、または一重、二重の角筒状であってもよい。
【００２９】
さらに、図１、図２に示すようにトレー本体１０の主面部１２上部において上述の対設部１１の両側部には上記中心点Ｐを軸として点対称となるヒンジ部１９，１９が一体形成されていて、２つのトレー本体１０，１０を同図に示す如く組合わせた後、両者のヒンジ部１９，１９にヒンジピン１９ａを挿入し、一対のトレー本体１０，１０がヒンジ部１９，１９を介して展開および折畳み可能（図９参照）となるように構成している。
【００３０】
ここで、上述のヒンジピン１９ａの中心つまりヒンジ中心は、トレー本体１０の折畳み時におけるコンパクト化を考慮して、トレー本体１０の主面部１２に対して所定量上方位置に設定されている。
【００３１】
また、図７に示すように段下げ形成された凹状の溝部１３の中間部には該溝部１３の上面から上方に延びる複数のピン１３ａ（但し図面では１つのみを示す）をピン相互が離間するように形成している。
【００３２】
さらに溝部１３とフランジ部１４との間には上方に延びる環状の突条１３ｂが上記三方にわたって一体形成されている。
【００３３】
図１、図２、図５に示すように平面視コ字状のシート固定フレーム２０には、ヒンジ部１９側に延びる一対の突片２１，２１が一体形成され、これらの各突片２１，２１には図５に示すように内方に延びる支軸２２，２２が一体または一体的に設けられている。そして、これら一対の支軸２２，２２を、トレー本体１０のスカート部１５の対応部に形成された軸孔に挿入し、シート固定フレーム２０を図２に実線および仮想線で示すように支軸２２，２２を支点として起伏可能に構成している。
【００３４】
また上述のシート固定フレーム２０の断面形状は図７に示すように構成している。
【００３５】
すなわち、スカート部１５の外方およびフランジ部１４の上方を覆う逆Ｌ字状のシュラウド部２３と、このシュラウド部２３から内方に斜め下方に延びるスラント部２４と、スラント部２４の内端部から下方に延びて上述のピン１３ａの内側に位置する突起２５と、スラント部２４の中間部から下方に延びて上述のピン１３ａの外側に位置する突起２６と、シュラウド部２３の上片部から下方に延びて上述の突条１３ｂの外側に位置する突起２７とを備え、これら各要素２３〜２７が上記三方にわたって一体形成されている。ここで、上述のスラント部２４の内端側はトレー本体１０の主面部１２上面と略面一状の高さになるように設定されていて、ペット用トイレの全高低減を図るように構成している。
【００３６】
このため、トレー本体１０とシート固定フレーム２０との間で狭持固定されるシート３０（吸水性、保水性を有するシート３０）は、図７に示すように主面部１２の端部から一旦下方に落ち込み、凹状の溝部１３上面と突起２５下面との間を通った後に、ピン１３ａ頂部に向けて上方に変位し、さらにピン１３ａ頂部から再び下方に落ち込んで、溝部１３上面と突起２６下面との間を通って突条１３ｂ側に延びる狭持構造となり、このようなシート３０端部の凹凸狭持構造（主面部１２から一旦、落ち込んだ後に上方に上がり、再度落ち込むような凹凸構造）により両者１０，２０間にシート３０を強固に敷設保持することができる。この結果、ペット用トイレにおいてペットが動き回わったとしても、その外力によりシート３０が両者が両者１０，２０間の凹凸狭持部から外れることはない。
【００３７】
また、フラットな主面部１２に対して段下げ形成された凹状の溝部１３を設けたので、ペット用トイレの全高を（詳しくは溝部１３にシート固定フレーム２０が被着された時のトイレの全高）をさらに低くして、ペット用トイレのコンパクト化を達成することができる。
【００３８】
一方、図１、図３、図８に示すように、トレー全体１０およびシート固定フレーム２０のロック部材４０配設部には凹部１０ａ，２０ａが形成され、これら凹部１０ａ，２０ａに対応して上述のロック部材４０が設けられている。
【００３９】
この実施例では、ロック部材４０を逆Ｌ字状に形成し、このロック部材４０の下側両サイドに設けた支軸４１，４１（図３参照）をトレー本体１０のスカート部１５側に形成した軸孔に挿入し、このロック部材４０の回動操作によりシート固定フレーム２０をロックおよびアンロック可能に構成しているが、このロック部材４０をシート固定フレーム２０側に設ける構造を採用してもよい。
【００４０】
図１、図６、図９に示すように２つのトレー本体１０，１０を対設部１１にて対設した時、これら両トレー本体１０，１０のスカート部１５対向面間を分離可能に係合する係合手段としての係合舌片１５ａと、この係合舌片１５ａを係入するための係入孔１５ｂとが上記中心点Ｐ（図１参照）を軸として点対称になるように形成されている。
【００４１】
そして、一側のトレー本体１０の係合舌片１５ａを他側のトレー本体１０の係入孔１５ｂに係入すると共に、他側のトレー本体１０の係合舌片１５ａを一側のトレー本体１０の係入孔１５ｂに係入して、図１、図６に示す展開状態を保持し、上述の各係合舌片１５ａ，１５ａを係入孔１５ｂ，１５ｂから離脱してヒンジ部１９を介して両トレー本体１０，１０を重ね合わせると、図９に示す折り畳み状態となる。
【００４２】
ところで、ペット用トイレは図１０に示すように、一側のトレー本体１０（図示右側のトレー本体１０）を水平に配置すると共に、他側のトレー本体１０（図示左側のトレー本体１０）を立設状態に保持して使用すると、雄犬等のペットが足を上げて放尿しても、周囲への飛び散りを防止することができる。
【００４３】
このため、図６、図８、図１０に示すようにトレー本体１０の主面部１２の背面とリブ１６の下端部との間に形成された格納空間部５１には、トレー本体１０を図１０に示すように立設状態に保持するスタンド５０を設けている。
【００４４】
上述のスタンド５０は図８に底面図にて示すように底面視コ字状のスタンド本体５２と、このスタンド本体５２の枢支部に設けられた一対の支軸５３（図１１〜図１３参照）と、支軸５３の外端に設けられた抜止め用の頭部５４とを備えている。この実施例ではスタンド本体５２、支軸５３、頭部５４の各要素がＡＢＳ樹脂などの合成樹脂にて一体形成されている。
【００４５】
このスタンド５０を回動可能に枢支するために格納空間部５１の対応するリブ１６，１６には図１１〜図１３に示すように円形部５５と長方形部５６とが連通する鍵穴状の軸孔５７が形成されている。ここで、上述の長方形部５６は円形部５５から遠ざかる側が幅狭で、円形部５５に近い側が幅広となるテーパ形状に構成されているが、テーパを有さない長方形部であってもよい。
【００４６】
上述のスタンド５０側の支軸５３は、その外周部が円形部５５の内周面と対応する円弧状に形成され、支軸５３の断面形状は長方形部５６と一致する略長方形に形成されている。
【００４７】
このスタンド５０を用いて一方のトレー本体１０を立設保持する場合、まず、図６に示す展開状態から一方のトレー本体１０を図１１に示すように立設させ、次に図１１に示すスタンド５０を支軸５３を支点として後方（図１１の矢印ａ方向）に回動操作して引き出し、図１２に示す状態、つまり支軸５３と軸孔５７の長方形部５６とが一直線上に並ぶ状態と成し、次に図１２に示す状態下からスタンド５０を同図の矢印ｂ方向（長方計５６の長手方向）に移動させて、支軸５３を軸孔５７の長方形部５６に挿入すると、図１３、図１０に示すように一方のトレー本体１０を所定傾斜角度θに維持した状態およびトレー本体１０を位置決め固定した状態で立設保持することができる。
【００４８】
この実施例では図１０、図１３に示す一方のトレー本体１０と他方のトレー本体１０との成す角度θすなわち開角θを約１０５度に設定しているが、この開角θはペットの習性に対応して１００〜１１０度その他の任意角度に設定してもよい。
【００４９】
ここに、図１１、図１２、図１３においては立設される側のトレー本体１０は図８のＣ−Ｃ線に沿う断面図にて示している。
【００５０】
また、この実施例では図８に示すようにトレー本体１０の底部中央に１つのスタンド５０を回動可能に設けたが、大型のペット用トイレを構成する場合には上述と同様の構造の２つのスタンドをトレー本体１０の底部両サイドに設けるように構成してもよい。
【００５１】
さらに、上述のトレー本体１０およびシーツ固定フレーム２０はポリプロピレン（いわゆるＰＰ）等の合成樹脂で形成され、ロック部材４０およびスタンド５０はＡＢＳ樹脂等の合成樹脂で形成されるが、使用材料はこれに限定するものではない。
【００５２】
このように構成したペット用トイレは、図７に示す如く一対のトレー本体１０，１０の主面部１２全体にシーツ３０（特に吸水性、保水性を有するシートが望ましい）を敷設し、このシーツ３０の周辺部を、段下げ形成された溝部１３とシーツ固定フレーム２０とによる凹凸狭持構造（図７参照）にて強固に固定して使用される。
【００５３】
ペット用トイレを展開状態で使用する場合には、図４、図６で示したように成すとよく、一方のトレー本体１０を所定傾斜角度に立設して使用する場合には図１０、図１３に示すように当該トレー本体１０をスタンド５０にて所定傾斜角度θに保持して使用する。
【００５４】
一方、ペット用トイレの非使用時には、図９に示すようにスタンド５０を格納空間部５１内に格納して、このスタンド５０がトレー本体１０から外方に出っ張らないように収納すると共に、一対のトレー本体１０，１０をヒンジ部１９を介して同図に示すように２つ折り状態に折畳むと、非使用時のコンパクト化が図れる。この際、ヒンジ中心の高さ設定により、２つ折りされたトレー本体１０，１０は略平行な状態に重ね合わさり、折畳み時の全高低減を図ることができる。
【００５５】
このように上記実施例のペット用トイレは、一対のトレー本体１０，１０がヒンジ部１９を介して展開（図４、図６参照）および折畳み可能（図９参照）に構成されたものであって、一方のトレー本体１０の背面には該一方のトレー本体１０を立設状態に保持するスタンド５０が設けられたものである。
【００５６】
この構成によれば、上述のスタンド５０により一方のトレー本体１０を（図１０、図１３で示す如く）立設状態に保持することができるので、壁や柱等の構造物が存在しない場合においても当該一方のトレー本体１０の立設保持が可能で、しかもペット挙動時においても一方のトレー本体１０の立設状態が確保でき、ペットが動き回っても立設した側のトレー本体１０が倒れたり、水平配置側のトレー本体１０が浮き上がったりすることがないので、使用状態下のペット用トイレ全体の安定性を確保することができる。
【００５７】
また、上記スタンド５０は一方のトレー本体１０の背面側の格納空間部５１に回動可能に設けられたものである。
【００５８】
この構成によれば、ペット用トイレの展開使用時（図４、図６参照）またはペット用トイレを２つ折りと成すトイレ非使用時（図９参照）には上述のスタンド５０をトレー本体１０背面側の格納空間部５１に、外方に出っ張らないように完全に収納することができる。
【００５９】
さらに、上記スタンド５０により一方のトレー本体１０が所定傾斜角度θに立設保持（位置決め固定）されるものである。
【００６０】
この構成によれば、上述のスタンド５０で一方のトレー本体１０をペットの習性に対応するように所定の角度θに立設保持（位置決め固定）させることができる。
【００６１】
加えて、上記一対のトレー本体１０，１０は展開時、平面から見て点対称に構成されたものである。
【００６２】
この構成によれば、一方のトレー本体１０と他方のトレー本体１０とを同一構造を成すことができ、同一のトレー本体１０を２つ用いて一対のトレー本体が形成できるので、特に合成樹脂によりトレー本体１０を構成する場合には、成形金型が１つでよく、ペット用トイレのコストダウンを図ることができる。
【００６３】
また、上記ヒンジ部は１９は一対のトレー本体の１０，１０対設部１１両側のみに設けられたものである。
【００６４】
この構成によれば、ヒンジ部１９をトレー本体１０，１０相互が対設される部分（対設部１１）の両側のみに設けたので、トレー本体１０の主面部１２を広く使用することができ、トレー本体１０上の広い使用空間が確保できる。
【００６５】
さらに、上記トレー本体１０の主面部１２に対してヒンジ中心（ヒンジピン１９ａのセンタ参照）が所定量上方位置に設定されたものである。
【００６６】
この構成によれば、ペット用トイレの非使用時に、図９に示すように、一対のトレー本体１０，１０を上記ヒンジ中心を支点としてコンパクトに２つ折りにすることができ、折畳み時のコンパクト化を達成することができる。
【００６７】
図１４は段下げ形成された凹状の溝部１３とシーツ固定フレーム２０とによる凹凸狭持構造の他の実施例を示し、図７で示した実施例においてはピン１３ａの上端部を半球状に形成したが、図１４に示すこの実施例では上述のピン１３ａの上端部を上方が尖った円錐状に形成すると共に、シーツ固定フレーム２０側の突起２５の下端部には下方が尖った円錐状部２５ａを形成したものである。
【００６８】
ここで、上述の円錐状部２５ａは突起２５の下部に所定間隔を隔てて複数形成される。
【００６９】
このように構成すると、トレー本体１０側の凹状の溝部１３とシーツ固定フレーム２０側との間で狭持されるシーツ３０をより一層強固に固定することができ、ペット挙動時にシーツ３０に多少の外力が付勢されても、このシーツ３０が凹凸狭持部から外れることはない。
【図面の簡単な説明】
【００７０】
【図１】本発明のペット用トイレを展開して示す平面図。
【図２】図１の側面図。
【図３】図２の左側面図。
【図４】図１のＡ-Ａ線矢視断面図。
【図５】図１のＢ−Ｂ線矢視断面図。
【図６】図４の部分拡大断面図。
【図７】図６の要部拡大断面図。
【図８】トレー本体の底面図。
【図９】折畳んだ状態を示す断面図。
【図１０】一方のトレー本体を立設保持した状態で示す断面図。
【図１１】スタンドの引き出し前の状態を示す断面図。
【図１２】スタンドの引き出し時の状態を示す断面図。
【図１３】スタンドによる位置決め状態を示す断面図。
【図１４】凹凸狭持構造の他の実施例を示す断面図。
【符号の説明】
【００７１】
１０…トレー本体
１１…対設部
１２…主面部
１９…ヒンジ部
５０…スタンド
５１…格納空間部
【図１】
2005211031.tif 000003
【図２】
2005211031.tif 000004
【図３】
2005211031.tif 000005
【図４】
2005211031.tif 000006
【図５】
2005211031.tif 000007
【図６】
2005211031.tif 000008
【図７】
2005211031.tif 000009
【図８】
2005211031.tif 000010
【図９】
2005211031.tif 000011
【図１０】
2005211031.tif 000012
【図１１】
2005211031.tif 000013
【図１２】
2005211031.tif 000014
【図１３】
2005211031.tif 000015
【図１４】
2005211031.tif 000016